(57)【要約】【課題】ソケットに開位置を越えて回動させる力が作用したときに、内側リンクが屈曲するのを防止する。【解決手段】ヒンジ本体の先端部には、内側リンク３及び外側リンク４の各基端部を互いに平行な第１軸１１及び第２軸１２を介してそれぞれ回動可能に連結する。内側リンク３及び外側リンク４の各先端部には、第１、第２軸１１，１２と平行な第３、第４軸１３，１４を介してソケット５を回動可能に連結する。第３軸１３を外側リンク４に突き当たらせることにより、ソケット５の開位置を規制する。ソケット５が開位置に位置しているとき、第２軸１２を内側ヒンジ３に極めて接近するように配置する。第２軸１２は、開位置に位置しているソケットをさらに開回動させる力によって内側リンク３が外側リンク４側に突出するように屈曲させられるとき、内側リンク３に突き当たることにより、その屈曲を阻止する。【選択図】　　　　図３
2004116045.tif 000002
【特許請求の範囲】
【請求項１】
ヒンジ本体と、このヒンジ本体の先端部に基端部が互いに平行な第１及び第２軸を介してそれぞれ回動可能に連結された内側リンク及び外側リンクと、この内側リンク及び外側リンクの先端部に上記第１及び第２軸と平行な第３及び第４軸を介して回動可能に連結されることにより、上記ヒンジ本体に上記内側リンク及び上記外側リンクを介して閉位置と開位置との間を回動可能に連結されたソケットと、上記ヒンジ本体と上記ソケットとのいずれか一方と上記内側リンクと上記外側リンクとのいずれか一方との間に設けられ、上記ソケットが上記開位置を越えて開回動するのを阻止するストッパ手段とを備え、上記ソケットに上記開位置を越えて開回動させようとする力が作用すると、上記内側リンクに上記第１軸と上記第３軸とを結ぶ方向を向く圧縮力が作用するスライドヒンジにおいて、
上記内側リンクが上記圧縮力によって屈曲させられるときに、上記内側リンクの上記屈曲に伴って突出する側部に当接することにより、上記内側リンクが屈曲するのを阻止する補強部材を上記ヒンジ本体に設けたことを特徴とするスライドヒンジ。
【請求項２】
上記内側リンクが屈曲するときに、上記外側リンクに向って突出するようになっており、上記第２軸が上記内側リンクの突出する側部に突き当たることによって上記内側リンクの屈曲を阻止する上記補強部材として兼用されていることを特徴とする請求項１に記載のスライドヒンジ。
【請求項３】
上記内側リンクが、上記第２軸とその長手方向において線又は面接触する平板部を有していることを特徴とする請求項２に記載のスライドヒンジ。
【請求項４】
上記第３軸が上記ストッパ手段として兼用されており、上記第３軸が上記外側リンクに突き当たることにより、上記ソケットの開位置が規制されていることを特徴とする請求項１〜３のいずれかに記載のスライドヒンジ。
【請求項５】
上記内側リンクが上記ストッパ手段として兼用されており、上記内側リンクが上記ソケットに突き当たることにより、上記ソケットの開位置が規制されていることを特徴とする請求項１〜３のいずれかに記載のスライドヒンジ。
【発明の詳細な説明】
【０００１】
【発明の属する技術分野】
この発明は、扉を躯体に回動可能に連結するためのスライドヒンジに関する。
【０００２】
【従来の技術】
一般に、スライドヒンジは、ヒンジ本体と、このヒンジ本体の先端部に基端部が互いに平行な第１、第２軸を介してそれぞれ回動可能に連結された内側及び外側リンクと、この内側及び外側リンクの各先端部に第１、第２軸と平行な第３、第４軸を介して回動可能に連結されたソケットとを備えている。そして、第１〜第４軸を上下方向に向けた状態で、ヒンジ本体が躯体の側壁部内面に取り付けられるとともに、ソケットが扉に取り付けられる。これにより、扉が躯体に回動可能に連結されている。扉の閉位置は、扉が躯体の前面に突き当たることによって規制されており、扉の開位置は、内側リンクがソケットに突き当たることによって規制されている（例えば、特許文献１参照。）。
【０００３】
【特許文献１】
実開昭６０−５５６７８号公報（第１図）
【０００４】
【発明が解決しようとする課題】
上記構成のスライドヒンジにおいては、誤って扉が開位置からさらに開回動する方向に押されると、内側リンクに第１軸と第３軸とを結ぶ方向を向く圧縮力が作用する。この圧縮力が比較的大きいと、内側リンクがその中間部において折り曲げられるおそれがあった。なお、外側リンクには、引っ張り力が作用するので折り曲げられるおそれはない。
【０００５】
【課題を解決するための手段】
この発明は、上記の問題を解決するために、ヒンジ本体と、このヒンジ本体の先端部に基端部が互いに平行な第１及び第２軸を介してそれぞれ回動可能に連結された内側リンク及び外側リンクと、この内側リンク及び外側リンクの先端部に上記第１及び第２軸と平行な第３及び第４軸を介して回動可能に連結されることにより、上記ヒンジ本体に上記内側リンク及び上記外側リンクを介して閉位置と開位置との間を回動可能に連結されたソケットと、上記ヒンジ本体と上記ソケットとのいずれか一方と上記内側リンクと上記外側リンクとのいずれか一方との間に設けられ、上記ソケットが上記開位置を越えて開回動するのを阻止するストッパ手段とを備え、上記ソケットに上記開位置を越えて開回動させようとする力が作用すると、上記内側リンクに上記第１軸と上記第３軸とを結ぶ方向を向く圧縮力が作用するスライドヒンジにおいて、上記内側リンクが上記圧縮力によって屈曲させられるときに、上記内側リンクの上記屈曲に伴って突出する側部に当接することにより、上記内側リンクが屈曲するのを阻止する補強部材を上記ヒンジ本体に設けたことを特徴としている。
この場合、上記内側リンクが屈曲するときに、上記外側リンクに向って突出するようになっており、上記第２軸が上記内側リンクの突出する側部に突き当たることによって上記内側リンクの屈曲を阻止する上記補強部材として兼用されていることが望ましい。
また、上記内側リンクが、上記第２軸とその長手方向において線又は面接触する平板部を有していることが望ましい。
上記第３軸が上記ストッパ手段として兼用され、上記第３軸が上記外側リンクに突き当たることにより、上記ソケットの開位置が規制されていてもよく、あるいは、上記内側リンクが上記ストッパ手段として兼用され、上記内側リンクが上記ソケットに突き当たることにより、上記ソケットの開位置が規制されていてもよい。
【０００６】
【発明の実施の形態】
以下、この発明に係るスライドヒンジをパチスロ台に用いた一実施の形態について図１〜図８を参照して説明する。なお、この発明に係るスライドヒンジは、パチスロ台のみならず、パチンコ台、缶飲料等の自動販売機等にも使用可能である。
【０００７】
まず、この発明に係るスライドヒンジ１が用いられたパチスロ台について説明すると、パチスロ台は、躯体Ａと扉Ｂとを有している。躯体Ｂは、前面が開口した箱状をなしている。一方、扉Ｂは、前面部が開口した深さの浅い箱状をなしており、躯体Ａの側壁部ａ１にスライドヒンジ１を介して水平方向へ開閉回動可能に連結されている。扉Ｂの回動範囲は、図１に示す閉位置と図３に示す開位置との間に規制されている。扉Ｂの閉位置は、扉Ｂの前面ｂ１が躯体Ａの前面ａ２に突き当たることによって規制されている。閉位置に位置した扉Ｂは、躯体Ａの前面開口部を全体にわたって閉じている。その一方、扉Ｂの閉位置は、後述するように、スライドヒンジ１によって規制されている。扉Ｂは、開位置に回動したときには、躯体Ａの側壁部ａ１とほぼ平行か、側壁部ａ１とのなす角が鈍角になるまで回動しており、躯体Ａの前面開口部をほぼ全体にわたって開放している。
【０００８】
躯体Ａの開口側の内周面には、薄い金属板からなる防犯部プレートＣが全周にわたって設けられている。防犯プレートＣの一側部は、躯体Ａの前面ａ２から突出している。一方、扉Ｂの開口部の内周面にも、薄い金属板からなる防犯プレートＤが全周にわたって設けられている。防犯プレートＤの一側部は、扉Ｂの前面ｂ１から前方に突出している。したがって、扉Ｂを閉位置に回動させると、図１に示すように、防犯プレートＣ，Ｄの一側部どうしは、前面ａ２，ｂ１間に形成される隙間と対向するようにして互いに重なり合う。これにより、前面ａ２，ｂ１の僅かの隙間から差し込またピアノ線等が防犯プレートＣ，Ｄを越えて躯体Ａの内部に挿入されることが防止され、ひいてはピアノ線等による不正行為が防止されている。
【０００９】
次に、この発明に係るスライドヒンジ１について説明する。図１〜図６に示すように、スライドヒンジ１は、ヒンジ本体２、内側リンク３、外側リンク４及びソケット５を有している。
【００１０】
ヒンジ本体２は、金属製の板材を成形してなるものであり、互いに対向して平行に配置された一対の側板部２１，２１と、この一対の側板部２１，２１と一体に形成され、側板部２１，２１の一側部（図１において左側の側部）どうしを連結する連結板部２２とを有している。側板部２１，２１と連結板部２２とはほぼ直交しており、それによってヒンジ本体２が断面「コ」字状に形成されている。各側板部２１の他側部には、側板部２１から外側へ向って直角に突出する取り付け板部２３が形成されている。また、側壁部２１の先端部には、各側壁部２１を連結板部２２より前方へ延長することによって支持板部２４が形成されている。
【００１１】
このように構成されたヒンジ本体２は、図１〜図３に示すように、躯体Ａの側壁部ａ２の内面に取り付けられる。この場合、ヒンジ本体２は、側板部２１を上下方向に向けるとともに、その長手方向を躯体Ａの前後方向に向けた状態で、取付板２３，２３が側壁部ａ２の内面に押し付けられる。そして、各側壁部２３を貫通して側壁部ａ２に螺合されたビス（図示せず）等を締め付けることにより、躯体Ａに固定されている。ヒンジ本体２は、躯体Ａの側壁部ａ２内面に直接取り付けることなく、他の周知のスライドヒンジと同様に側壁部ａ２の内面に基部（図示せず）を固定し、この基部に着脱可能に取り付けるようにしてもよい。
【００１２】
上記内側リンク３は、金属製の板材を成形してなるものであり、互いに対向して平行に配置された一対の側板部３１，３１と、この一対の側板部３１，３１と一体に形成され、側板部３１，３１の一側部（図１において左側の側部）どうしを連結する平板状をなす背板部（平板部）３２とを有している。側板部３１，３１と背板部３２とはほぼ直交しており、それによって内側リンク３が断面「コ」字状に形成されている。内側リンク３の基端部は、その側板部３１，３１をヒンジ本体２の側板部２１，２１と対向させた状態でヒンジ本体２の先端部の内部に挿入されている。側板部３１，３１の基端部には、それらと直交する第１軸１１が挿通されている。側板部３１，３１を貫通した第１軸１１の両端部は、ヒンジ本体２の側板部２１，２１の先端部に支持されている。これにより、内側リンク３の基端部がヒンジ本体２の先端部に第１軸１１を介して水平方向へ回動可能に連結されている。
【００１３】
外側リンク４は、金属製の板材を成形してなるものであり、互いに対向して平行に配置された一対の側板部４１，４１と、この一対の側板部４１，４１と一体に形成され、側板部４１，４１の一側部（図１において左側の側部）どうしを連結する連結板部４２とを有している。側板部４１，４１と連結板部４２とはほぼ直交しており、それによって内側リンク３が断面「コ」字状に形成されている。外側リンク４の基端部は、内側リンク３の基端部よりヒンジ本体２の前方側に位置するよう、支持板部２４，２４間に挿入されている。この場合、外側リンク４は、その側板部４１，４１がヒンジ本体２の支持板部２４，２４と対向し、しかも上記ソケット５が図１に示す閉位置に位置したときに連結板部４２が側板部４１に対して前方に位置するようにしてヒンジ本体２に挿入されている。したがって、外側リンク４は、その開放部を内側リンク３側に向けている。外側リンク４の側板部４１，４１の基端部には、それらと直交する第２軸１２が挿通されている。側板部４１，４１を貫通した第２軸１２の両端部は、ヒンジ本体２の支持板部２４，２４に支持されている。これにより、内側リンク３の基端部がヒンジ本体２の先端部に第２軸１２を介して水平方向へ回動可能に連結されている。
【００１４】
外側リンク４の一方の側板部４１の外面と他方の側板部４１の外面との間の寸法（以下、このような寸法を外法寸法という。）は、ヒンジ本体２の一方の側板部２１の内面と他方の側板部２１の内面との間の寸法（以下、このような寸法を内法寸法という。）とほぼ同一になっている。したがって、側板部４１，４１の基端部は、支持板部２４，２４の各内面に接触した状態で回動する。一方、内側リンク３の側板部３１，３１の外法寸法は、ヒンジ本体２の側板部２１，２１内法寸法より、側板部４１の分だけ狭くなっている。したがって、内側リンク３は、
ヒンジ本体２の側板部２１，２１に接触することがない。その一方、内側リンク３は、外側リンク４の内部にその開放部から入り込み可能になっている。しかも内側リンク３は、閉位置と開位置との間のいずれの位置に回動しているときにも内側リンク３の一部が外側リンク４の内部に入り込み、それによって外側リンク４を補強している。
【００１５】
すなわち、後述するように、内側リンク３は扉Ｂの重量を支持することがなく、外側リンク４だけで扉Ｂの重量を支持している。外側リンク４は、扉Ｂの重量を受けるのに十分な強度を有しているが、扉Ｂに自重以外の比較的大きな荷重が下方に向って作用すると、図８において想像線で示すように、外側リンク４の側板部４１，４１が曲がってしまうおそれがある。しかるに、この実施の形態のヒンジ装置１では、内側リンク３の一部が外側リンク４内に入り込み、側板部３１，３１の各外面が側板部４１，４１の各内面にそれぞれ接触するので、図８に示す曲がりに対しては側板部４１，４１の厚さがあたかも側板部３１，３１の厚さの分だけ厚くなったような状況を呈する。したがって、外側リンク４の側板部４１，４１が曲がるのを防止することができる。特にこの実施の形態では、扉Ｂに不慮の荷重が作用する可能性が高い開時には、図３に示すように、内側リンク３が外側リンク４の内部に連結板部４２側まで深く入り込む。したがって、外側リンク４の側板部４１，４１が曲がるのをより一層確実に防止することができる。
【００１６】
上記ソケット５は、金属製の板材を成形してなるものであり、平板部５１と、この平板部５１の一端側の両側部から同一方向へ直角に起立する側板部５２，５２と、平板部４１の他端側の両側部から側板部５２と同一方向へ直角に起立する連結側板部５３，５３と、各側板部５２，５２から互いに離間する方向へ平板部５１と平行に突出する取付板部５４，５４とを有している。そして、ソケット５は、側板部５２及び連結側板部５３を上下方向に向けるとともに、取付板部５４を扉Ｂの前面ｂ１側に位置させた状態で配置され、防犯プレートＤの一部を利用して形成された取付部ｄ１に取付板部５４，５４がビス（図示せず）等によって固定されている。したがって、ソケット５は、扉Ｂと一体に回動する。そこで、扉Ｂが閉位置に位置したときのソケット５の位置も閉位置と称し、扉Ｂが開位置に位置したときのソケット５の位置も開位置と称する。
【００１７】
ソケット５の連結側板部５３，５３の先端部間には、内側リンク３の先端部が挿入されている。この場合、内側リンク３は、その側板部３１，３１を連結板部５３，５３と対向させた状態で挿入されている。側板部３１，３１には、第３軸１３が挿通されている。この第３軸１３は、側板部３１，３１と直交している。したがって、第３軸１３は、第１及び第２軸１１，１２と平行になっている。側板部３１，３１を貫通した第３軸１３の両端部は、ソケット５の連結側板部５３，５３の先端部に支持されている。これにより、内側リンク３の先端部がソケット５に水平方向へ回動可能に連結されている。ソケット５の連結側板部５３，５３の基端部間には、外側リンク４の先端部が挿入されている。この場合、外側リンク４は、その側板部４１，４１を連結板部５３，５３と対向させた状態で挿入されている。側板部４１，４１には、第４軸１４が挿通されている。この第４軸１４は、側板部４１，４１と直交している。したがって、第４軸１４は、第１、第２及び第３軸１１，１２，１３と平行になっている。側板部４１，４１を貫通した第４軸１４の両端部は、ソケット５の連結側板部５３，５３の基端部に支持されている。これにより、外側リンク４の先端部がソケット５に水平方向へ回動可能に連結されている。この結果、ソケット５が内側リンク３及び外側リンク４を介してヒンジ本体２に回動可能に連結されている。
【００１８】
外側リンク４の側板部４１，４１とこれに隣接するソケット５の連結側板部５３，５３との各間には、ワッシャ１５が配置されている。ワッシャ１５は、摩擦抵抗の小さい樹脂からなるものであり、その両端面が側板部４１及び連結側板部５３に接触している。したがって、外側リンク４の側板部４１，４１は、ワッシャ１５，１５を介して連結側板部５３，５３に接触している。よって、外側リンク５は、扉Ｂの重量をソケット５を介して支持している。なお、内側リンク３は、前述したように、ヒンジ本体２の側板部２１，２１に対して離間している。しかも、内側リンク３の側板部３１，３１は、ワッシャ１５，１５に対して第３軸１３の軸線方向に離間している。したがって、内側リンク３が扉Ｂの重量を支持することはない。
【００１９】
上記第１、第２、第３及び第４軸１１，１２，１３，１４は、図１に示すように、ソケット５が閉位置に位置しているとき、第２軸１２が第１軸１１よりヒンジ本体２の前方側に位置し、第４軸１４が第３軸よりヒンジ本体２の前方側に位置するように配置されている。特に、この実施の形態では、外側リンク４に関連する第２、第４軸１２，１４の両者が内側ヒンジ３に関連する第１、第３軸１１，１３の両者よりヒンジ本体２の前方側に配置されている。換言すれば、そのような配置関係にある第１、第３軸１１，１３によってヒンジ本体２及びソケット５に回動可能に連結されるリンクが内側リンク３であり、第２、第４軸１２，１４によってヒンジ本体２及びソケット５に回動可能に連結されるリンクが外側リンクである。なお、第１軸１１が躯体Ａの前面ａ２より若干躯体Ａの内側に配置されている以外、第２、第３及び第４軸１２，１３，１４は、躯体Ａの前面ａ２より前方に位置し、扉Ｂ内に入り込んでいる。
【００２０】
図３に示すように、ソケット５が閉位置側から開位置に回動したとき、第３軸１３が外側リンク４の側板部４１，４１の第２、第４軸１２，１４を結ぶ方向における中間部に突き当たるようになっている。換言すれば、第３軸１３が外側リンク４に突き当たることにより、ソケット５の開位置が規制されている。したがって、第３軸１３は、ソケット５が開位置を越えて開回動するのを阻止するストッパ手段として兼用されている。第３軸１３の外側リンク４に対する接触箇所は、第２、第４軸１２，１４の各中心を結ぶ線より前方側に位置している。したがって、第３軸１３と外側リンク４との接触箇所と第１軸１１とは、第２、第４軸１２，１４の各中心を結ぶ線の両側に位置している。
【００２１】
第１〜第４軸１１〜１４が上記のような関係に配置された状況下において、いまソケット５（扉Ｂ）に開位置からさらに開方向へ回動させようとする力が作用したものとする。すると、その力によって第３軸１３が第１軸１１に接近する方向へ押される。その結果、内側ヒンジ３には、第１軸１１と第３軸１３との各中心（回動軸線）を結ぶ線上を第３軸１３側から第１軸１１側へ向かう圧縮力が作用する。この圧縮力が大きいと、内側リンク３がその中間部において屈曲されるおそれがある。図３から明かなように、ソケット５（扉Ｂ）を開位置に回動させたとき、内側リンク３が扉Ｂの前面ｂ１から突出した防犯プレートＤの一側部に干渉するのを防止するために、側板部３１，３１の背板部３２と逆側の側部の中間部には、逃げ凹部３３が形成されている。このため、内側リンク３は、その長手方向における背板部３２の中間部（側部）３２ａが外側リンク４側へ突出するように屈曲される。なお、外側リンク４は、第４軸１４が第２軸１２から離間するように押圧される結果、引っ張り力が作用する。
【００２２】
図３に示すように、上記第２軸１２は、ソケット５が開位置に位置したときに背板部３２の外側リンク４側を向く面の長手方向におけるほぼ中央部と対向するように配置されている。しかも、背板部３２に対し極めて接近して配置されている。したがって、内側リンク３が、その中間部が外側リンク４側へ突出するように屈曲すると、第２軸１２が背板部３２の中間部３２ａに直ちに接触する。これにより、内側リンク３がそれ以上屈曲することが防止される。しかも、第２軸１２は、背板部３２に対しその全幅にわたって線接触するので、内側リンク３が捩られるように変形することをも防止することができる。第２軸１２の外周面に平面状の平取り部を形成し、この平取り部を背板部３２に面接触させるようにしてもよい。この内容から明かなように、第２軸１２は、外側リンク４をヒンジ本体２に回動可能に連結するために用いられるのみならず、内側リンク４の屈曲を防止する補強部材としても用いられている。
【００２３】
なお、この発明は、上記の実施の形態に限定されるものでなく、適宜変更可能である。
例えば、上記の実施の形態においては、ソケット５に設けられた第３軸１３を、外側リンク４に突き当たることによってソケット５が開位置を越えて開回動するのを阻止するストッパ手段として兼用しているが、ストッパ手段は第３軸１３とは別のものを用いてもよい。例えば、内側リンクをソケット５に直接突き当てることによってストッパ手段として機能させてもよい。また、内側リンク３又は外側リンク４をヒンジ本体２に突き当てることによってソケット５の開位置を越える開回動を阻止するストッパ手段としてもよい。
また、上記の実施の形態においては、内側リンク３をソケット５に回動可能に連結する第３軸１３を外側リンク４に突き当てることにより、ソケット５の開位置を規制しているが、他の周知のスライドヒンジと同様に、内側ヒンジ３をソケット５に突き当てることにより、ソケット５の開位置を規制してもよい。あるいは、ヒンジ本体２の先端部にストッパ部材（図示せず）を設け、このストッパ部材に内側リンク３又は外側リンク４を突き当てることにより、ソケット５の開位置を規制するようにしてもよい。
さらに、上記の実施の形態においては、補強部材として第２軸１２を兼用しているが、ヒンジ本体２に第２軸１２とは別の補強部材を設けてもよい。その場合にも、補強部材は、背板部３２の幅方向に線又は面接触させるのが望ましい。
【００２４】
【発明の効果】
以上説明したように、この発明によれば、開位置に位置している扉にさらに開回動させる力が作用したときに、内側リンクが屈曲するのを防止することができるという効果が得られる。
【図面の簡単な説明】
【図１】この発明の一実施の形態の要部を、扉を閉位置に回動させた状態で示す断面図である。
【図２】同実施の形態の要部を、扉を半開位置に回動させた状態で示す断面図である。
【図３】同実施の形態の要部を、扉を開位置に回動させた状態で示す断面図である。
【図４】図１〜図３に示す実施の形態において用いられているこの発明のスライドヒンジを、ソケットを開位置に回動させた状態で示す斜視図である。
【図５】同スライドヒンジを、ソケットを閉位置に回動させた状態で示す斜視図である。
【図６】同スライドヒンジの分解斜視図である。
【図７】内側リンクと外側リンクとの関係を示す図３のＸ−Ｘ線に沿う断面図である。
【図８】外側リンクを示す図７と同様の断面図である。
【符号の説明】
１　スライドヒンジ
２　ヒンジ本体
３　内側リンク
４　外側リンク
５　ソケット
１１　第１軸
１２　第２軸（補強部材）
１３　第３軸（ストッパ手段）
１４　第４軸
３２ａ　背板部の中間部（側部）
【図１】
2004116045.tif 000003
【図２】
2004116045.tif 000004
【図３】
2004116045.tif 000005
【図４】
2004116045.tif 000006
【図５】
2004116045.tif 000007
【図６】
2004116045.tif 000008
【図７】
2004116045.tif 000009
【図８】
2004116045.tif 000010